(57)【要約】【課題】着用感を高めつつ、生産コストを低減することが可能なシャツを提供する。【解決手段】それぞれ丸編機で編成された編地からなる、１個の筒状身頃部と、一対の２個の筒状袖部とからなり、前記筒状身頃部の両側部に上端から下方に向けて所定長さの袖側連結部となる切断部を設ける一方、前記一対の各筒状袖部には、それぞれ一側部の上端から前記筒状身頃部の切断部と縫着する切断部を設け、前記筒状身頃部の両側の切断部と前記筒状袖部の切断部とを、夫々切断端縁同士を縫着して連続させている。【選択図】図１
2009235610.tif 000002
【特許請求の範囲】
【請求項１】
それぞれ丸編機で編成された編地からなる、１個の筒状身頃部と、一対の２個の筒状袖部とからなり、
前記筒状身頃部の両側部に上端から下方に向けて所定長さの袖側連結部となる切断部を設ける一方、前記一対の各筒状袖部には、それぞれ一側部の上端から前記筒状身頃部の切断部と縫着する切断部を設け、
前記筒状身頃部の両側の切断部と前記筒状袖部の切断部とを、夫々切断端縁同士を縫着して連続させていることを特徴とするシャツ。
【請求項２】
前記筒状身頃部および前記一対の筒状袖部の上端および下端にウエルト編み領域を設けると共に、前記筒状身頃部の上端のウエルト編み領域に前記筒状袖部の上端のウエルト編み領域を連続させて丸首状の開口部を形成している請求項１に記載のシャツ。
【発明の詳細な説明】
【技術分野】
【０００１】
本発明は、シャツに関するものであり、詳しくは、極めて簡単な構成からなり、安価に提供できるシャツに関する。
【背景技術】
【０００２】
従来より、袖部を有し、首周りの開口部に頭を通して着用するかぶりタイプのシャツがインナーやアウターとして多用されている。例えば、特開平１０−４６４０２号公報（特許文献１）には、前身頃生地２と後身頃生地３の肩側上辺部および両側部を互いに縫着すると共に、前身頃生地２と後身頃生地３の両側部の上部に、筒状に縫着された袖部４を夫々縫着し、さらに細幅テープ状生地５を前身頃生地２および後身頃生地３の首周り部に縫着して形成した、婦人用インナーとしてのシャツ１が示されている（図３参照）。
【０００３】
しかし、前記構成のシャツ１では、前身頃生地２と後身頃生地３の縫着工程や、筒状の袖部４を形成するための袖部生地の縫着工程、さらに、前身頃生地２および後身頃生地３への袖部４の縫着工程など、製品の完成までに多くの工程が必要とされるため、製造コストの低減が図りにくいという問題がある。また、肌触りが悪くゴロつき感が生じやすい縫着箇所が多くなるため、着用感の点でもさらなる改良の余地がある。
【０００４】
【特許文献１】特開平１０−４６４０２号公報
【発明の開示】
【発明が解決しようとする課題】
【０００５】
本発明は前記問題に鑑みてなされたものであり、着用感を高めつつ、生産コストを低減することが可能なシャツを提供することを課題としている。
【課題を解決するための手段】
【０００６】
前記課題を解決するため、本発明は、それぞれ丸編機で編成された編地からなる、１個の筒状身頃部と、一対の２個の筒状袖部とからなり、
前記筒状身頃部の両側部に上端から下方に向けて所定長さの袖側連結部となる切断部を設ける一方、前記一対の各筒状袖部には、それぞれ一側部の上端から前記筒状身頃部の切断部と縫着する切断部を設け、
前記筒状身頃部の両側の切断部と前記筒状袖部の切断部とを、夫々切断端縁同士を縫着して連続させていることを特徴とするシャツを提供している。
【０００７】
前記のように、それぞれ丸編機で編成された編地からなる１個の筒状身頃部と一対の２個の筒状袖部を連続させてシャツを形成している。したがって、丸編機で容易に編成可能な筒状編地を、直径を変えて２種類（直径を大とした身頃部用の筒状編地を１個と、直径を小とした袖部用の筒状編地を２個）編成するだけで、シャツの構成要素となる１個の筒状身頃部と２個の筒状袖部を容易に作製することができ、従来のように、前身頃生地と後身頃生地を縫着して筒状の身頃部を形成したり、袖部用生地を縫着して筒状の袖部を形成したりする必要がなくなる。よって、シャツの製造に要する工程数を大幅に削減し、生産コストを低減することが可能となる。
【０００８】
さらに、前記構成によれば、前記筒状身頃部の両側部および前記一対の筒状袖部の一側部の上端から下方に向けて所定長さの切断部を設け、前記筒状身頃部の切断部の切断端縁と前記筒状袖部の切断部の切断端縁とを縫着するだけで、前記筒状身頃部の両側部に前記筒状袖部が連続した本発明のシャツを簡単に完成させることができるため、シャツの生産性を向上させることができる。また、前記筒状身頃部の両側部および筒状袖部の一側部の一部を切断するだけでよいため、生地のロスが無く経済的である。
さらに、前記構成によれば、シャツの縫着箇所が前記切断端面同士の縫着部分のみであるため、縫着箇所のゴロつき感が低減され、優れた着用感を得ることができる。
【０００９】
前記切断部は、筒状身頃部の両側部および筒状袖部の一側部を上端から下方に向けて切開、若しくは切断するだけで形成可能であり、前記切断部の上下方向の長さとしては、シャツのサイズ等によっても異なるが、例えば、筒状袖部全長（袖丈）の２０〜３０％程度とすることが好ましい。
【００１０】
前記構成のシャツは丸編機で編成した編地を用いているため、薄地でフィット性が高く、また、前記シャツは前後の区別がないため、着用時に前後を気にせず楽に着用することができる。
【００１１】
前記筒状身頃部および前記一対の筒状袖部の上端および下端にウエルト編み領域を設けると共に、前記筒状身頃部の上端のウエルト編み領域に前記筒状袖部の上端のウエルト編み領域を連続させて丸首状の開口部を形成していることが好ましい。
【００１２】
前記のように、筒状身頃部および一対の筒状袖部の上端および下端にウエルト編み領域を設けることにより、従来、首周りなどに縫着されていたテープ類が不要になると共に、首周りや裾周り、袖周りを補強し、フィット性を高めることができる。
前記ウエルト編み領域は、ウエルト部分の編地を折り返して袋状としたダブルウエルトとすることが好ましい。
【００１３】
また、前記のように、筒状身頃部上端のウエルト編み領域に前記筒状袖部上端のウエルト編み領域を連続させて丸首状の開口部を形成することにより、ラグランタイプのデザイン性のあるシャツが得られ、着用時の首元をすっきりと見せることができる。
【００１４】
前記筒状身頃部および筒状袖部の上端のウエルト編み領域の伸縮力を高めて、該ウエルト編み領域の下側に連続する本編み領域の上部にギャザーを形成してもよい。この場合、袖部との縫着に際し、筒状身頃部上端に緊張を加えることにより袖部と直線状に縫着することが出来、縫着後にこれを緩めることによりギャザーとＵ字状の首まわりを形成することができる。
【００１５】
前記のように、筒状身頃部および筒状袖部の上端のウエルト編み領域の伸縮力を高め、下部にギャザーを設けておくことにより、首回りや立体的なバストへのフィット性を一層高めることができると共に、デザイン性を付与することができる。
【００１６】
前記筒状身頃部および筒状袖部の上端のウエルト編み領域の編組織は、特に限定されないが、例えば、ダブルウエルトのウエルト編み領域の編組織をプレーン編み（平編み）とすることにより、伸縮力を高めることができる。また、前記上端のウエルト編み領域の上下方向の長さとしては、例えば、１〜４ｃｍ程度とすることが好ましい。
【００１７】
前記筒状身頃部および前記筒状袖部の下端のウエルト編み領域の編組織も特に限定されないが、例えば、裾周りを形成する筒状身頃部下端のダブルウエルトのウエルト編み領域の編組織は、プレーン編みとすることが好ましく、該ウエルト編み領域の上下方向の長さとしては、例えば、１〜２ｃｍ程度とすることが好ましい。
また、袖周りを形成する筒状袖部下端のダブルウエルトのウエルト編み領域の編組織は
プレーン編みとすることが好ましく、該ウエルト編み領域の上下方向の長さとしては、例えば、０．５〜１．５ｃｍ程度とすることが好ましい。
【００１８】
一方、前記上端のウエルト編み領域の下側に連続する本編み領域は、プレーン編組織やタック編組織など任意の編組織で編成することができる。
【００１９】
前記筒状身頃部および筒状袖部の編成に用いられる編み糸としては、例えば、綿糸、アクリル糸、カバリングヤーンなど任意の編み糸を用いることができる。又、部分的に素材、カラーを変え、機能、デザインの変化を加えてもよい。
【００２０】
前記構成のシャツは、男性用、女性用いずれにも適用可能であり、前記筒状袖部は半袖であっても長袖であってもよい。
【発明の効果】
【００２１】
前述したように、本発明によれば、それぞれ丸編機で編成された編地からなる１個の筒状身頃部と一対の２個の筒状袖部を連続させてシャツを形成しているため、丸編機で容易に編成可能な筒状編地を、直径を変えて２種類編成するだけで、シャツの構成要素となる筒状身頃部と筒状袖部を容易に作製することができる。さらに、前記筒状身頃部の両側部および前記一対の筒状袖部の一側部の上端から下方に向けて所定長さの切断部を設け、前記筒状身頃部の切断部の切断端縁と前記筒状袖部の切断部の切断端縁とを縫着するだけで、前記筒状身頃部の両側部に前記筒状袖部が連続した本発明のシャツを簡単に完成させることができる。よって、シャツの製造に要する工程数を大幅に削減し、生産コストを低減することが可能となる。
【００２２】
また、前記構成によれば、前記筒状身頃部の両側部および筒状袖部の一側部の一部を切断するだけでよいため、生地のロスが少なく経済的であり、さらに、シャツの縫着箇所が前記切断端面同士の縫着部分のみであるため、ゴロつき感が低減され優れた着用感を得ることができる。さらに、前記シャツは丸編機で編成した編地から形成されるため、薄地でフィット性が高く、また、前記シャツは前後の区別がないため、着用時に前後を気にせず楽に着用することができる。
【００２３】
また、前記のように、筒状身頃部および一対の筒状袖部の上端および下端にウエルト編み領域を設けることにより、従来、首周りなどに縫着されていたテープ類が不要になると共に、首周りや裾周り、袖周りを補強し、フィット性を高めることができる。
【発明を実施するための最良の形態】
【００２４】
以下、本発明の実施形態を図面を参照して説明する。
図１および図２は本発明の実施形態である女性用のシャツ１０を示している。図１および図２に示すように、シャツ１０は、１個の筒状身頃部１１と左右一対の長袖の筒状袖部１２から構成し、筒状身頃部１１および一対の筒状袖部１２は丸編機で編成された筒状編地から形成している。
【００２５】
筒状身頃部１１および一対の筒状袖部１２の上端には、ダブルウエルトのウエルト編み領域１１ａ、１２ａを夫々設けており、該ウエルト編み領域１１ａ、１２ａの下側に連続する本編み領域１１ｂ、１２ｂを挟んで下端側にもダブルウエルトのウエルト編み領域１１ｃ、１２ｃを夫々設けている。
【００２６】
本実施形態においては、シャツ１０の筒状身頃部１１および筒状袖部１２の編地を表側をナイロン加工糸、裏側をアクリル糸を用いてプレーティング編みとし、Ｍサイズのシャツ１０では、筒状身頃部１１を口径７インチ、針数６１６本の丸編機で編成する一方、一対の筒状袖部１２を針数３５２本の丸編機で編成している。また、Ｌサイズのシャツ１０では、筒状身頃部１１を口径８インチ、針数７０４本の丸編機で編成する一方、一対の筒状袖部１２は、Ｍサイズと同じ丸編機で編成している。
【００２７】
筒状身頃部１１および筒状袖部１２上端のウエルト編み領域１１ａ、１２ａは、上下方向の長さを３ｃｍ程度とし、編組織をプレーン編みとして、ウエルト編み領域１１ａ、１２ａの伸縮力を高めている。
【００２８】
上端のウエルト編み領域１１ａ、１２ａの下側に連続する本編み領域１１ｂ、１２ｂは平編で編成している。本編み領域１１ｂ、１２ｂの上部には、ギャザー１４が形成され、本編み領域１１ｂ、１２ｂの上下方向の長さは、デザインやサイズなどに応じて適宜設定することができる。
【００２９】
また、筒状身頃部１１の本編み領域１１ｂの下側に連続し裾周りを形成する、筒状身頃部１１下端のウエルト編み領域１１ｃは、編組織をプレーン編みとし、該ウエルト編み領域１１ｃの上下方向の長さを２ｃｍ程度としている。
さらに、筒状袖部１２の本編み領域１２ｂの下側に連続し袖周りを形成する、筒状袖部１２下端のウエルト編み領域１２ｃは、編組織をプレーン編みとし、該ウエルト編み領域１２ｃの上下方向の長さを１．５ｃｍ程度としている。
【００３０】
前記丸編機で編成した一対の各筒状袖部１２の一側部には、上端から下方に向けて、筒状袖部１２の全長（袖丈）の２５％程度の長さを有する切断部１２ｄを夫々設けている。また、前記丸編機で編成した筒状身頃部１１の両側部にも、上端から下方に向けて、切断部１２ｄと同じ長さの切断部１１ｄを設けている。
本実施形態のシャツ１０は、筒状身頃部１１の切断部１１ｄの切断端面と、筒状袖部１２の切断部１２ｄの切断端面を夫々縫着することにより完成させている。縫着により、筒状身頃部１１の上端のウエルト編み領域１１ａと筒状袖部１２の上端のウエルト編み領域１２ａを連続させて丸首状の開口部１３を形成している。
【００３１】
前記のように、それぞれ丸編機で編成された編地からなる１個の筒状身頃部１１と一対の２個の筒状袖部１２を連続させてシャツ１０を形成しているため、丸編機で容易に編成可能な筒状編地を、直径を変えて２種類編成するだけで、シャツ１０の構成要素となる筒状身頃部１１と筒状袖部１２を容易に作製することができる。さらに、筒状身頃部１１の両側部および一対の筒状袖部１２のそれぞれ一側部の上端から下方に向けて所定長さの切断部１１ｄ、１２ｄを設け、筒状身頃部１１の切断部１１ｄの切断端縁と筒状袖部１２の切断部１２ｄの切断端縁とを縫着するだけで、筒状身頃部１１の両側部に筒状袖部１２が連続した本発明のシャツ１０を簡単に完成させることができる。よって、シャツ１０の製造に要する工程数を大幅に削減し、生産コストを低減することが可能となる。
【００３２】
また、前記構成によれば、筒状身頃部１１の両側部および筒状袖部１２の一側部の一部を切断するだけでよいため、生地のロスが少なく経済的であり、さらに、シャツ１０の縫着箇所が前記切断端面同士の縫着部分のみであるため、ゴロつき感が低減され優れた着用感を得ることができる。さらに、シャツ１０が丸編機で編成した編地から形成されるため、薄地でフィット性が高く、また、シャツ１０に前後の区別がないため、着用時に前後を気にせず楽に着用することができる。
【００３３】
また、前記のように、筒状身頃部１１および一対の筒状袖部１２の上端および下端にウエルト編み領域を設けることにより、従来、首周りなどに縫着されていたテープ類が不要になると共に、首周りや裾周り、袖周りを補強し、フィット性を高めることができる。
【００３４】
なお、本発明は前記実施形態に限定されるものではなく、例えば、筒状袖部を半袖としてもよいし、アウター用のシャツに適用してもよい。また、女性用に限らず、男性用のシャツに適用することも可能である。
【図面の簡単な説明】
【００３５】
【図１】本実施形態のシャツの正面図である。
【図２】本実施形態のシャツの分解斜視図である。
【図３】従来例を示す図である。
【符号の説明】
【００３６】
１０  シャツ
１１  筒状身頃部
１１ａ  上端のウエルト編み領域
１１ｂ  本編み領域
１１ｃ  下端のウエルト編み領域
１１ｄ  切断部
１２  筒状袖部
１２ａ  上端のウエルト編み領域
１２ｂ  本編み領域
１２ｃ  下端のウエルト編み領域
１２ｄ  切断部
１３  開口部
１４  ギャザー
【図１】
2009235610.tif 000003
【図２】
2009235610.tif 000004
【図３】
2009235610.tif 000005